(57)【要約】【課題】ユーザ環境に応じて、画像表示を制御することを目的とする。【解決手段】記憶装置に記憶されている画像の表示指示を受け付ける受付手段と、記憶装置に記憶されている画像に対して視聴済み通知を既に受けているか否かを判定する判定手段と、受付手段により表示指示を受け付けた第１の画像に対して、判定手段により、視聴済み通知を受けていないと判定された場合には、第１の画像を表示するように制御し、第１の画像が、判定手段により、視聴済み通知を既に受けていると判定された場合には、第１の画像と共に、当該第１の画像と関連する第２の画像を表示するか否かを選択するための選択画面を表示するように制御する表示制御手段と、を有する。【選択図】図１
2015088853.tif 000002
【特許請求の範囲】
【請求項１】
記憶装置に記憶されている画像の表示指示を受け付ける受付手段と、
前記記憶装置に記憶されている画像に対して視聴済み通知を既に受けているか否かを判定する判定手段と、
前記受付手段により表示指示を受け付けた第１の画像に対して、前記判定手段により、視聴済み通知を受けていないと判定された場合には、前記第１の画像を表示するように制御し、前記第１の画像が、前記判定手段により、視聴済み通知を既に受けていると判定された場合には、前記第１の画像と共に、当該第１の画像と関連する第２の画像を表示するか否かを選択するための選択画面を表示するように制御する表示制御手段と、
を有することを特徴とする表示制御装置。
【請求項２】
前記選択画面において、第２の画像を表示することが選択された場合は、前記表示制御手段は、前記第１の画像の画像と共に前記第２の画像を表示するように制御することを特徴とする請求項１に記載の表示制御装置。
【請求項３】
前記第２の画像は、前記第１の画像を視聴した視聴者を撮影した画像であることを特徴とする請求項１又は２に記載の表示制御装置。
【請求項４】
前記記憶装置とネットワークを介して接続する接続手段を有し、
前記判定手段は、前記受付手段により表示指示を受け付けた第１の画像に対して、視聴済み通知を既に受けているか否かを示す情報を前記記憶装置から受信し、受信した情報に基づいて、視聴済み通知を既に受けているか否かを判定することを特徴とする請求項１乃至３何れか１項に記載の表示制御装置。
【請求項５】
前記第１の画像を表示している間に、前記第１の画像の視聴者を撮影する撮影手段を有することを特徴とする請求項１乃至４何れか１項に記載の表示制御装置。
【請求項６】
前記撮影手段により撮影した画像を、前記受付手段により表示指示を受け付けた第１の画像に関連付けて前記記憶装置に記憶するように制御する記憶制御手段を有することを特徴とする請求項５に記載の表示制御装置。
【請求項７】
前記表示制御手段は、前記第１の画像と関連する第２の画像が複数存在する場合に、複数の第２の画像それぞれを表示するか否かを選択するための前記選択画面を表示するように制御する請求項１乃至６何れか１項に記載の表示制御装置。
【請求項８】
前記第１の画像と関連する第２の画像が複数存在する場合に、前記第２の画像に対して予め設定された優先度に基づいて、表示対象の第２の画像を選択する選択手段をさらに備え、
前記表示制御手段は、選択手段により選択された前記第２の画像を表示するか否かを選択するための前記選択画面を表示するように制御する請求項１乃至６何れか１項に記載の表示制御装置。
【請求項９】
前記受付手段は、前記第１の画像又は前記第２の画像の強調指示をさらに受け付け、
前記表示制御手段は、前記強調指示に係る画像を強調表示する請求項２に記載の表示制御装置。
【請求項１０】
表示制御装置が実行する表示制御方法であって、
記憶装置に記憶されている画像の表示指示を受け付ける受付ステップと、
前記記憶装置に記憶されている画像に対して視聴済み通知を既に受けているか否かを判定する判定ステップと、
前記受付ステップにおいて表示指示を受け付けた第１の画像に対して、前記判定ステップにおいて、視聴済み通知を受けていないと判定された場合には、前記第１の画像を表示するように制御し、前記第１の画像が、前記判定ステップにおいて、視聴済み通知を既に受けていると判定された場合には、前記第１の画像と共に、当該第１の画像と関連する第２の画像を表示するか否かを選択するための選択画面を表示するように制御する表示制御ステップと、
を含むことを特徴とする表示制御方法。
【請求項１１】
コンピュータを、
記憶装置に記憶されている画像の表示指示を受け付ける受付手段と、
前記記憶装置に記憶されている画像に対して視聴済み通知を既に受けているか否かを判定する判定手段と、
前記受付手段により表示指示を受け付けた第１の画像に対して、前記判定手段により、視聴済み通知を受けていないと判定された場合には、前記第１の画像を表示するように制御し、前記第１の画像が、前記判定手段により、視聴済み通知を既に受けていると判定された場合には、前記第１の画像と共に、当該第１の画像と関連する第２の画像を表示するか否かを選択するための選択画面を表示するように制御する表示制御手段と、
して機能させるためのプログラム。
【請求項１２】
請求項１１に記載のプログラムを記録したコンピュータにより読み取り可能な記録媒体。
【発明の詳細な説明】
【技術分野】
【０００１】
本発明は、表示制御装置、表示制御方法及びプログラムに関する。
【背景技術】
【０００２】
従来、関連する複数の画像を同時に表示する技術が知られている。例えば、特許文献１には、スライドショーを視聴している視聴者を撮影し、撮影画像をスライドショーの画像に関連付けて格納し、次回のスライドショー表示時に撮影画像を併せて表示する技術が開示されている。
【先行技術文献】
【特許文献】
【０００３】
【特許文献１】特開２００９−２１８９５６号公報
【発明の概要】
【発明が解決しようとする課題】
【０００４】
しかしながら、表示対象の画像をネットワーク経由で取得するケースでは、関連する複数の画像を常にネットワーク経由で取得することとした場合、ネットワークの負荷が増大するという問題がある。特に、ネットワーク回線速度が低速な環境においては、画像の取得に要する時間が長くなり、画像が表示されるまでのユーザの待ち時間が増えてしまうという問題があった。また、画像の表示を制御する機器のスペックによっては、複数の画像を同時に表示するには能力が不足する場合もある。
【０００５】
本発明はこのような問題点に鑑みなされたもので、ユーザ環境に応じて、画像表示を制御することを目的とする。
【課題を解決するための手段】
【０００６】
そこで、本発明は、表示制御装置であって、記憶装置に記憶されている画像の表示指示を受け付ける受付手段と、前記記憶装置に記憶されている画像に対して視聴済み通知を既に受けているか否かを判定する判定手段と、前記受付手段により表示指示を受け付けた第１の画像に対して、前記判定手段により、視聴済み通知を受けていないと判定された場合には、前記第１の画像を表示するように制御し、前記第１の画像が、前記判定手段により、視聴済み通知を既に受けていると判定された場合には、前記第１の画像と共に、当該第１の画像と関連する第２の画像を表示するか否かを選択するための選択画面を表示するように制御する表示制御手段と、を有することを特徴とする。
【発明の効果】
【０００７】
本発明によれば、ユーザ環境に応じて、画像表示を制御することができる。
【図面の簡単な説明】
【０００８】
【図１】表示システムを示す図である。
【図２】ＰＣ及びサーバ装置を示す図である。
【図３】画像表示処理を示すフローチャートである。
【図４】選択画面の表示例を示す図である。
【図５】画像の表示例を示す図である。
【図６】画像の表示例を示す図である。
【図７】選択画面の表示例を示す図である。
【発明を実施するための形態】
【０００９】
以下、本発明の実施形態について図面に基づいて説明する。
【００１０】
図１は、実施形態にかかる表示システムを示す図である。表示システムは、表示制御装置としてのＰＣ１０と、サーバ装置２０とを備えている。ＰＣ１０とサーバ装置２０は、ネットワーク３０を介して接続している。
ＰＣ１０には、表示画面１１０を備えた表示機器１１と、カメラ１２と、操作部１３とが接続されている。ＰＣ１０は、サーバ装置２０から受信した画像をＬＣＤ等の表示画面１１０に表示する。なお、本実施形態においては、表示画面が表示する画像は、音声とともに再生される動画であるものとする。なお、他の例としては、画像は、静止画であってもよい。
カメラ１２は、表示画面１１０に表示された画像を見ているユーザを撮影する。なお、撮影により得られた画像は、ＰＣ１０からサーバ装置２０に送信される。なお、撮影により得られた画像は、音声とともに再生される動画であるものとする。なお、他の例としては、この画像は、静止画であってもよい。
以下、表示画面１１０に表示される画像を、視聴対象画像と称することとする。また、視聴対象画像が表示画面１１０に表示されているときにカメラ１２により撮影された、視聴対象画像を見ている視聴者の画像を視聴者画像と称することとする。
【００１１】
サーバ装置２０は不図示の記憶部を備えている。記憶部は、視聴対象画像を格納している。サーバ装置２０がＰＣ１０のカメラ１２により撮影された、視聴対象画像を見ているユーザの画像（視聴者画像）を受信した場合には、記憶部は、視聴対象画像と視聴者画像を関連付けて格納している。
例えば、サーバ装置２０の記憶部に格納されているユーザＡの画像（視聴対象画像）がＰＣ１０に送信され、表示画面１１０に再生表示されているとする。そして、ユーザＢが、表示画面１１０に表示中のユーザＡの画像を見ているとする。
この時、ＰＣ１０のカメラ１２は、ユーザＢを撮影し、ユーザＢの画像（視聴者画像）を得る。そして、ＰＣ１０は、ユーザＢの画像をサーバ装置２０に送信する。サーバ装置２０は、ユーザＢの画像を受信すると、これをユーザＡの画像に関連付けて記憶部に格納する（記憶制御処理）。
ＰＣ１０は、次回以降ユーザＡの画像を表示する際に、サーバ装置２０において、ユーザＡの画像に関連付けて格納されているユーザＢの画像を関連付けて表示することができる。なお、このためのＰＣ１０及びサーバ装置２０の具体的な処理については後述する。
【００１２】
図２は、ＰＣ１０のハードウェア構成を示す図である。ＰＣ１０は、ＣＰＵ１０１と、ＲＯＭ１０２と、ＲＡＭ１０３と、ＨＤＤ１０４と、ネットワークＩ／Ｆ１０５と、機器Ｉ／Ｆ１０６とを備えている。ＣＰＵ１０１は、ＰＣ１０の全体を総括的に制御する。ＲＯＭ１０２は、制御プログラム等を記憶する。ＲＡＭ１０３は、ＣＰＵ１０１の主メモリ、ワークエリア等の一時記憶領域として用いられる。ＨＤＤ１０４は、画像データや各種プログラム等を記憶する。
ネットワークＩ／Ｆ１０５は、ネットワーク３０に接続し、サーバ装置２０と通信する。機器Ｉ／Ｆ１０６は、外部機器と接続する。本実施形態においては、機器Ｉ／Ｆ１０６は、表示機器１１、カメラ１２及びマウスやキーボードなどの操作部１３と接続する。なお、他の例としては、ＰＣ１０は、カメラや表示画面を自装置内に備えてもよい。
【００１３】
サーバ装置２０のハードウェア構成は、図２を参照しつつ説明したＰＣ１０のハードウェア構成と同様である。ただし、サーバ装置２０は、機器Ｉ／Ｆ１０６を備えなくともよい。
後述するＰＣ１０の機能や処理は、ＰＣ１０が備えるＣＰＵ１０１がＲＯＭ１０２又はＨＤＤ１０４に格納されているプログラムを読み出し、このプログラムを実行することにより実現されるものである。同様に、後述するサーバ装置２０の機能や処理は、サーバ装置２０が備えるＣＰＵ１０１がＲＯＭ１０２又はＨＤＤ１０４に格納されているプログラムを読み出し、このプログラムを実行することにより実現されるものである。
【００１４】
図３は、ＰＣ１０による画像表示処理を示すフローチャートである。Ｓ３００において、ＰＣ１０のＣＰＵ１０１は、操作部１３を介してユーザから、視聴対象画像の表示指示が入力されるまで待機する。表示指示が入力されると、ＣＰＵ１０１は、表示指示を受け付ける（Ｓ３００でＹｅｓ）。そして、ＣＰＵ１０１は、処理をＳ３０１へ進める。ここで、Ｓ３００の処理は、受付処理の一例である。
Ｓ３０１において、ＣＰＵ１０１は、ネットワークＩ／Ｆ１０５を介し、サーバ装置２０に問合せ情報を送信する。ここで、問合せ情報とは、表示指示に係る視聴対象画像に関連する情報をサーバ装置２０から取得する為の情報である。
【００１５】
次に、Ｓ３０２において、ＣＰＵ１０１は、ネットワークＩ／Ｆ１０５を介して、サーバ装置２０から、問合せ情報に対する応答として視聴済み情報（視聴済み通知）を受信する。ここで、視聴済み情報とは、問合せ情報に係る視聴対象画像が既に視聴されたか否かを示す情報である。本実施形態においては、問合せ情報に係る視聴対象画像に関連付けられた視聴者画像が記憶部に格納されているか否かを示す情報とする。Ｓ３０２の処理は、受信処理の一例である。サーバ装置２０は、問合せ情報を受信すると、記憶部を参照し、問合せ情報にかかる視聴対象画像に関連付けられている視聴者画像の有無を判定する。そして、判定結果を示す視聴済み情報をＰＣ１０に送信する。
Ｓ３０３において、Ｓ３０２で受信した情報に基づいて、Ｓ３００で表示指示を受け付けた視聴対象画像が、視聴済みであるかを判定する。視聴対象画像が視聴済みであり、視聴者画像が存在することを示す視聴済み情報を受信した場合、すなわち、表示指示にかかる視聴対象画像に関連する視聴者画像が存在する場合には（Ｓ３０３でＹｅｓ）、ＣＰＵ１０１は、処理をＳ３０４へ進める。一方、視聴者画像が存在しないことを示す有無情報を受信した場合には（Ｓ３０３でＮｏ）、ＣＰＵ１０１は、処理をＳ３０９へ進める。
【００１６】
Ｓ３０４において、ＣＰＵ１０１は、表示機器１１に選択画面を表示するための表示情報を出力する。ここで、表示情報は、表示指示にかかる視聴対象画像に関連する視聴者画像が存在することをユーザに通知するための情報である。表示機器１１は、表示情報を受け取ると、これを表示画面１１０に表示する。ここで、Ｓ３０４の処理は、表示制御処理の一例である。
図４は、選択の表示例を示す図である。表示画面１１０に表示される選択画面４００は、視聴対象画像を視聴する視聴者画像（視聴者画像）が存在することをユーザに通知する情報である。さらに、図４に示す選択画面４００には、ユーザから、視聴者画像の再生表示の指示を受け付けるための選択ボタンが含まれている。
【００１７】
ユーザによる操作部１３の操作により「はい」のボタンが選択されると、図３のＳ３０５において、ＣＰＵ１０１は、視聴者画像の表示指示を受け付け（Ｓ３０５でＹｅｓ）、処理をＳ３０６へ進める。一方、「いいえ」ボタンが選択された場合には、ＣＰＵ１０１は、表示指示を受け付けず（Ｓ３０５でＮｏ）、処理をＳ３０９へ進める。ここで、Ｓ３０５の処理は、受付処理の一例である。
Ｓ３０６において、ＣＰＵ１０１は、ネットワークＩ／Ｆ１０５を介して、サーバ装置２０に視聴対象画像及び視聴者画像の要求情報を送信する。サーバ装置２０は、要求情報を受信すると、要求情報に係る視聴対象画像及び視聴者画像をＰＣ１０に送信する。次に、Ｓ３０７において、ＰＣ１０のＣＰＵ１０１は、要求情報に対する応答として、サーバ装置２０から、要求情報に係る視聴対象画像及び視聴者画像を受信する。
【００１８】
次に、Ｓ３０８において、ＣＰＵ１０１は、受信した視聴対象画像と視聴者画像を関連付けて表示機器１１の表示画面１１０に表示し、処理をＳ３１２へ進める。ここで、Ｓ３０８の処理は、表示制御処理の一例である。図５は、視聴対象画像と視聴者画像の表示例を示す図である。このように、表示画面１１０は、ＰＩＰ（Ｐｉｃｔｕｒｅ  ｉｎ  Ｐｉｃｔｕｒｅ）で視聴対象画像５１０と視聴者画像５２０を同時に再生表示する。
図３に戻り、Ｓ３０９において、ＣＰＵ１０１は、視聴対象画像の要求情報を送信する。サーバ装置２０は、要求情報を受信すると、要求情報にかかる視聴対象画像をＰＣ１０に送信する。次に、Ｓ３１０において、ＰＣ１０ＣＰＵ１０１は、要求情報に対する応答として、サーバ装置２０から、要求情報にかかる視聴対象画像を受信する。次に、Ｓ３１１において、ＣＰＵ１０１は、受信した視聴対象画像を表示機器１１の表示画面１１０に表示し、処理をＳ３１２へ進める。
Ｓ３１２において、ＣＰＵ１０１は、表示画面１１０に視聴対象画像等が表示されると、視聴対象画像を見ている視聴者の様子の撮影をカメラ１２に指示する。そして、視聴対象画像等の再生が終了すると、Ｓ３１３において、ＣＰＵ１０１は、カメラ１２により得られた視聴対象画像を、ネットワークＩ／Ｆ１０５を介してサーバ装置２０に送信する。サーバ装置２０は、視聴者画像を受信すると、受信した視聴者画像を、ＰＣ１０に送信した視聴対象画像に関連付けて記憶部に格納する。以上で、画像表示処理が終了する。
【００１９】
このように、本実施形態にかかる表示システムにおいては、視聴対象画像に関連する視聴者画像が存在する場合であっても、ユーザから表示指示が入力されない場合には、ＰＣ１０は、視聴者画像の表示を行わない。このため、表示機器１１の負荷を軽減することができる。またこの場合、表示システムは、視聴者画像の受信も行わない。このため、視聴者画像の送信に起因したネットワーク３０の負荷を軽減することができる。
例えば、視聴者画像を表示することを希望しない場合や、ユーザが利用する表示機器１１が２つの画像を同時に表示するのに十分な能力を有さない場合がある。このような場合、ユーザが表示指示の入力を行わないことにより、表示システムは、視聴者画像の表示を行わないようにすることができる。すなわち、本表示システムは、ユーザ環境に応じて、視聴者画像の表示を制限することができる。
【００２０】
次に、表示システムの第１の変更例について説明する。第１の変更例としては、サーバ装置２０の記憶部は、視聴対象画像に対し、複数の視聴者画像を関連付けて記憶してもよい。さらに、この場合、ＰＣ１０のＣＰＵ１０１は、視聴対象画像に関連付けられているすべての視聴者画像を受信し、すべての視聴者画像を視聴対象画像に関連付けて表示画面１１０に表示してもよい。
図６は、第１の変更例にかかる画像の表示例を示す図である。図６に示す例においては、表示画面１１０には、視聴対象画像６１０と、４つの視聴者画像６２１〜６２４が同時に再生表示される。ここで、視聴対象画像６１０は、ユーザＡの画像であり、４つの視聴者画像６２１〜６２４はそれぞれ、ユーザＡの画像を視聴中のユーザＢ，Ｃ，Ｄ，Ｅの画像である。
【００２１】
さらに、視聴対象画像に対し、複数の視聴者画像が関連付けられている場合に、ＣＰＵ１０１は、表示機器１１の処理能力や、表示画面１１０の画面サイズ等に基づいて、表示対象の視聴者画像の数を制限してもよい。例えば、ＣＰＵ１０１は、同時に表示可能な画像の最大数を予めＲＡＭ１０３等に格納しておくこととする。そして、ＣＰＵ１０１は、最大数を超える視聴者画像が存在する場合には、視聴者画像の優先度順に最大数の視聴者画像を、表示対象として選択する（選択処理）。そして、ＣＰＵ１０１は、選択した視聴者画像と、視聴対象画像の要求情報をサーバ装置２０に送信し、その応答として、選択した視聴者画像と、視聴対象画像を受信する。
なお、優先度は、サーバ装置２０において、各視聴者画像に対して設定され、視聴者画像に関連付けて記憶部に格納されているものとする。サーバ装置２０は、例えば、視聴者画像の撮影時刻が新しい程、高い優先度を設定する。
【００２２】
他の例としては、サーバ装置２０は、視聴者画像の特徴情報に基づいて優先度を設定してもよい。特徴情報としては、視聴者画像内の人物の表情、動画における動きの大小、音声の変化の程度等が挙げられる。また他の例としては、サーバ装置２０は、ユーザによる優先度の設定指示に従い、優先度を設定してもよい。
また他の例としては、視聴者画像に対する視聴者の反響を反映可能な場合には、サーバ装置２０は、反響の大きさを優先度として設定してもよい。例えば、サーバ装置２０は、視聴者画像に対して投稿された視聴者のコメントを受信できる場合には、コメントが多い程、高い優先度を設定してもよい。
【００２３】
次に、第２の変更例について説明する。本実施形態では、視聴済み情報を視聴対象画像に関連付けられた視聴者画像が記憶部に格納されているか否かを示す情報とし、サーバ装置２０において、視聴済みであるか、つまり、視聴者画像が記憶部に格納されているか否かを判定した。しかし、視聴済み情報はこれに限定されない。Ｓ３１３おいて、ＰＣ１０から視聴者画像を送信された場合に、サーバ装置２０は対応する視聴対象画像に対して視聴済み情報を付加して記憶してもよい。また、Ｓ３１３おいて、ＰＣ１０が視聴者画像と共に視聴済み情報を送信し、サーバ装置２０は、受信した視聴済み情報を記憶部に格納するようにしてもよい。この場合、ＰＣ１０は、視聴済み情報を付加せずに視聴者画像を送信することも可能になるが、この場合、視聴対象画像の撮影者またはサーバ装置２０に送信した人のみが視聴可能なように制御してもよい。
【００２４】
次に、第３の変更例について説明する。図７は、第３の変更例にかかる選択画面の表示例を示す図である。第２の変更例としては、ＣＰＵ１０１は、表示指示にかかる視聴対象画像に関連する視聴者画像が複数存在する場合には、ユーザから視聴者画像の選択指示を受け付けることのできる画面を選択画面として表示画面１１０に表示してもよい。
図７に示す表示画面１１０には、視聴対象画像７１０と、２つの視聴者画像７２１，７２１が表示されている。この画面において、ユーザは、視聴者画像７２１，７２２を選択することができる。ユーザにより、視聴者画像７２１が選択されると、図５に示すように、選択された視聴者画像と、視聴対象画像が同時に再生表示される。なお、ユーザは、表示された視聴者画像のうち、１又は２以上の視聴者画像を選択できるものとする。
【００２５】
次に、第４の変更例について説明する。第４の変更例にかかるＰＣ１０のＣＰＵ１０１は、選択画面を表示した後、ユーザから視聴者画像の表示指示を受け付けた場合に、さらにユーザから強調指示を受け付けてもよい。ここで、強調指示は、同時に表示する視聴対象画像と視聴者画像のうちいずれを強調表示するかを指示するための情報である。ＣＰＵ１０１は、強調指示に従い、視聴対象画像又は視聴者画像を強調表示する。具体的には、ＣＰＵ１０１は、強調指示にかかる画像を、他の画像に比べて大きい画像サイズで表示する。また、他の例としては、ＣＰＵ１０１は、強調指示にかかる画像をカラー表示し、他の画像をモノクロ表示してもよい。なお、強調表示の態様は本例に限定されるものではない。
また、第５の変更例としては、表示システムは、情報装置としてのＰＣ１０に替えて、カメラや表示画面を備えた携帯端末や、ＰＣ１０の機能を搭載したデジタルカメラを備えることとしてもよい。また、上述の実施形態では、ＰＣとサーバ装置をネットワークを介して接続したシステムについて説明した。しかし、ネットワークに接続されているＰＣ自体が、サーバ装置の役割も担い、上述のＰＣとサーバ装置の処理の両方を実行可能なように構成してもよい。
【００２６】
＜その他の実施形態＞
また、本発明は、以下の処理を実行することによっても実現される。即ち、上述した実施形態の機能を実現するソフトウェア（プログラム）を、ネットワーク又は各種記録媒体を介してシステム或いは装置に供給する。そして、そのシステム或いは装置のコンピュータ（又はＣＰＵやＭＰＵ等）がプログラムを読み出して実行する処理である。
【００２７】
以上、上述した各実施形態によれば、ユーザ環境に応じて、画像表示を制御することができる。
【００２８】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２９】
１０  ＰＣ、１１  表示機器、１２  カメラ、１３  操作部、２０  サーバ装置、１０１  ＣＰＵ、１０２  ＲＯＭ、１０３  ＲＡＭ、１０４  ＨＤＤ、１０５  ネットワークＩ／Ｆ、１０６  機器Ｉ／Ｆ
【図１】
2015088853.tif 000003
【図２】
2015088853.tif 000004
【図３】
2015088853.tif 000005
【図４】
2015088853.tif 000006
【図５】
2015088853.tif 000007
【図６】
2015088853.tif 000008
【図７】
2015088853.tif 000009